(57)【要約】  本開示は、測定方法、端末及びネットワーク側機器を開示する。端末側の方法において、端末が非接続状態にある場合、ネットワーク側機器から送信される第１システムメッセージを取得することと、第１システムメッセージに基づいて、対応する測定動作を実行することとを含む。第１システムメッセージによって、端末は、非接続状態で第１システムメッセージに基づいて、対応する測定動作を決定して実行することができる。【選択図】図２
2021517781.tif 000002
【特許請求の範囲】
【請求項１】
端末に応用される測定方法において、
前記端末が非接続状態にある場合、ネットワーク側機器から送信される第１システムメッセージを取得することと、
前記第１システムメッセージに基づいて、対応する測定動作を実行することとを含み、
ここで、前記第１システムメッセージは、
快速な活性化／非活性化機能がセルでサポートされるか否かを指示すること、
快速な活性化／非活性化の測定情報を設定するための第２システムメッセージを前記ネットワーク側機器がブロードキャストするか否かを指示すること、
快速な活性化／非活性化を設定するための測定情報が第３システムメッセージに含まれているか否かを指示すること、及び、前記第３システムメッセージを前記ネットワーク側機器がブロードキャストするか否かを指示すること、
の少なくとも１つに用いられる、測定方法。
【請求項２】
前記第１システムメッセージは、快速な活性化／非活性化機能がセルでサポートされないことを指示し、
前記の前記第１システムメッセージの内容に基づいて、対応する測定動作を実行することは、
前記非接続状態での測定を停止すること、
前記端末が接続状態に入った場合、又は前記端末が前記非接続状態から前記接続状態に移行する過程で、前記非接続状態の測定結果の利用が可能であることを報告しないこと、
の少なくとも１つを含む、請求項１に記載の測定方法。
【請求項３】
前記第１システムメッセージは、快速な活性化／非活性化機能がセルでサポートされることを指示し、且つ、前記第２システムメッセージを前記ネットワーク側機器がブロードキャストしていないことを指示し、
前記の前記第１システムメッセージの内容に基づいて、対応する測定動作を実行することは、
前記非接続状態での測定を停止すること、
前記端末が接続状態に入った場合、又は前記端末が前記非接続状態から前記接続状態に移行する過程で、報告条件を満たす測定結果があれば、前記非接続状態の測定結果の利用が可能であることを報告すること、
の少なくとも１つを含む、請求項１に記載の測定方法。
【請求項４】
前記第１システムメッセージは、快速な活性化／非活性化機能がセルでサポートされることを指示し、且つ、前記第２システムメッセージを前記ネットワーク側機器がブロードキャストしていることを指示し、
前記の前記第１システムメッセージの内容に基づいて、対応する測定動作を実行することは、
前記第２システムメッセージに含まれる快速な活性化／非活性化を設定するための測定情報を読み取ることと、
前記測定情報に設定された周波数ポイントを取得することと、
前記非接続状態で前記設定された周波数ポイントを測定することとを含む、請求項１に記載の測定方法。
【請求項５】
前記の前記第１システムメッセージの内容に基づいて、対応する測定動作を実行することは、
前記端末が接続状態に入った場合、又は前記端末が前記非接続状態から前記接続状態に移行する過程で、報告条件を満たす測定結果があれば、前記非接続状態の測定結果の利用が可能であることを報告することを更に含む、請求項４に記載の測定方法。
【請求項６】
前記第１システムメッセージは、快速な活性化／非活性化を設定するための測定情報が第３システムメッセージに含まれていないことを指示し、
前記の前記第１システムメッセージに基づいて、対応する測定動作を実行することは、
前記非接続状態での測定を停止すること、
前記端末が接続状態に入った場合、又は前記端末が前記非接続状態から前記接続状態に移行する過程で、前記非接続状態の測定結果の利用が可能であることを報告しないこと、
の少なくとも１つを含む、請求項１に記載の測定方法。
【請求項７】
前記第１システムメッセージは、快速な活性化／非活性化を設定するための測定情報が第３システムメッセージに含まれていること、及び、前記第３システムメッセージを前記ネットワーク側機器がブロードキャストしていないことを指示し、
前記の前記第１システムメッセージに基づいて、対応する測定動作を実行することは、
前記第３システムメッセージの取得要求を前記ネットワーク側機器に送信することと、
前記ネットワーク側機器から送信される前記第３システムメッセージを読み取ることと、
前記第３システムメッセージに含まれる快速な活性化／非活性化を設定するための測定情報を読み取ることと、
前記測定情報に設定された周波数ポイントを取得することと、
前記非接続状態で前記設定された周波数ポイントを測定することとを含む、請求項１に記載の測定方法。
【請求項８】
前記第１システムメッセージは、快速な活性化／非活性化を設定するための測定情報が第３システムメッセージに含まれていること、及び、前記第３システムメッセージを前記ネットワーク側機器がブロードキャストしていることを指示し、
前記の前記第１システムメッセージに基づいて、対応する測定動作を実行することは、
前記ネットワーク側機器から送信される前記第３システムメッセージを読み取ることと、
前記第３システムメッセージに含まれる快速な活性化／非活性化を設定するための測定情報を読み取ることと、
前記測定情報に設定された周波数ポイントを取得することと、
前記非接続状態で前記設定された周波数ポイントを測定することとを含む、請求項１に記載の測定方法。
【請求項９】
前記の前記第１システムメッセージに基づいて、対応する測定動作を実行することは、
前記端末が接続状態に入った場合、又は前記端末が前記非接続状態から前記接続状態に移行する過程で、報告条件を満たす測定結果があれば、前記非接続状態の測定結果の利用が可能であることを報告することを更に含む、請求項７又は８に記載の測定方法。
【請求項１０】
前記第１システムメッセージは、前記第２システムメッセージを前記ネットワーク側機器がブロードキャストしていないことを指示し、
前記の前記第１システムメッセージに基づいて、対応する測定動作を実行することは、
前記非接続状態での測定を停止すること、
前記端末が接続状態に入った場合、又は前記端末が前記非接続状態から前記接続状態に移行する過程で、前記非接続状態の測定結果の利用が可能であることを報告しないこと、
の少なくとも１つを含む、請求項１に記載の測定方法。
【請求項１１】
前記第１システムメッセージは、前記第２システムメッセージを前記ネットワーク側機器がブロードキャストしていることを指示し、
前記の前記第１システムメッセージに基づいて、対応する測定動作を実行することは、
前記第２システムメッセージに設定された周波数ポイントを取得することと、
前記非接続状態で前記設定された周波数ポイントを測定することとを含む、請求項１に記載の測定方法。
【請求項１２】
前記の前記第１システムメッセージに基づいて、対応する測定動作を実行することは、
前記端末が接続状態に入った場合、又は前記端末が前記非接続状態から前記接続状態に移行する過程で、報告条件を満たす測定結果があれば、前記非接続状態の測定結果の利用が可能であることを報告することを更に含む、請求項１１に記載の測定方法。
【請求項１３】
前記非接続状態は、アイドル（ｉｄｌｅ）状態又は非活性化（ｉｎａｃｔｉｖｅ）状態を含み、
前記第１システムメッセージは、システムメッセージブロックタイプ１（ＳＩＢ１）又は残りの最小システムメッセージ（ＲＭＳＩ）を含み、
前記第２システムメッセージは、システムメッセージブロックタイプ５（ＳＩＢ５）又は他のシステムメッセージブロックタイプを含み、
前記第３システムメッセージは、ＳＩＢ５又は他のシステムメッセージブロックタイプを含む、請求項１に記載の測定方法。
【請求項１４】
前記端末は、前記非接続状態で測定能力を有する端末であり、且つ、前記ネットワーク側機器からセルで送信される前記第１システムメッセージを取得する前に、前記非接続状態で測定を行う、請求項１に記載の測定方法。
【請求項１５】
ネットワーク側機器に応用される測定方法において、
非接続状態にある端末に第１システムメッセージを送信し、前記端末に前記第１システムメッセージに基づいて対応する測定動作を実行させることを含み、
ここで、前記第１システムメッセージは、
快速な活性化／非活性化機能がセルでサポートされるか否かを指示すること、
快速な活性化／非活性化の測定情報を設定するための第２システムメッセージを前記ネットワーク側機器がブロードキャストするか否かを指示すること、
快速な活性化／非活性化を設定するための測定情報が第３システムメッセージに含まれているか否かを指示すること、及び、前記第３システムメッセージを前記ネットワーク側機器がブロードキャストするか否かを指示すること、
の少なくとも１つに用いられる、測定方法。
【請求項１６】
前記端末から報告条件を満たす測定結果がある場合、前記端末から報告された測定結果を受信することを更に含む、請求項１５に記載の測定方法。
【請求項１７】
前記第２システムメッセージを前記端末に送信することを更に含む、請求項１５に記載の測定方法。
【請求項１８】
前記端末から送信された前記第３システムメッセージの取得要求を受信することと、
前記第３システムメッセージを前記端末に送信することとを更に含む、請求項１５に記載の測定方法。
【請求項１９】
前記非接続状態は、アイドル（ｉｄｌｅ）状態又は非活性化（ｉｎａｃｔｉｖｅ）状態を含み、
前記第１システムメッセージは、システムメッセージブロックタイプ１（ＳＩＢ１）又は残りの最小システムメッセージ（ＲＭＳＩ）を含み、
前記第２システムメッセージは、システムメッセージブロックタイプ５（ＳＩＢ５）又は他のシステムメッセージブロックタイプを含み、
前記第３システムメッセージは、ＳＩＢ５又は他のシステムメッセージブロックタイプを含む、請求項１５に記載の測定方法。
【請求項２０】
前記端末は、前記非接続状態で測定能力を有する端末であり、且つ、前記ネットワーク側機器から送信される前記第１システムメッセージを取得する前に、前記非接続状態で測定を行う、請求項１５に記載の測定方法。
【請求項２１】
端末であって、
前記端末が非接続状態にある場合、ネットワーク側機器から送信される第１システムメッセージを取得する取得モジュールと、
前記第１システムメッセージに基づいて、対応する測定動作を実行する実行モジュールとを含み、
ここで、前記第１システムメッセージは、
快速な活性化／非活性化機能がセルでサポートされるか否かを指示すること、
快速な活性化／非活性化の測定情報を設定するための第２システムメッセージを前記ネットワーク側機器がブロードキャストするか否かを指示すること、
快速な活性化／非活性化を設定するための測定情報が第３システムメッセージに含まれているか否かを指示すること、及び、前記第３システムメッセージを前記ネットワーク側機器がブロードキャストするか否かを指示すること、
の少なくとも１つに用いられる、端末。
【請求項２２】
ネットワーク側機器であって、
非接続状態にある端末に第１システムメッセージを送信し、前記端末に前記第１システムメッセージに基づいて対応する測定動作を実行させる送信モジュールを含み、
ここで、前記第１システムメッセージは、
快速な活性化／非活性化機能がセルでサポートされるか否かを指示すること、
快速な活性化／非活性化の測定情報を設定するための第２システムメッセージを前記ネットワーク側機器がブロードキャストするか否かを指示すること、
快速な活性化／非活性化を設定するための測定情報が第３システムメッセージに含まれているか否かを指示すること、及び、前記第３システムメッセージを前記ネットワーク側機器がブロードキャストするか否かを指示すること、
の少なくとも１つに用いられる、ネットワーク側機器。
【請求項２３】
メモリと、プロセッサと、前記メモリに格納されて前記プロセッサで動作可能なコンピュータプログラムを含む端末であって、
前記コンピュータプログラムが前記プロセッサによって実行されると、請求項１〜１４のいずれか一項に記載の測定方法が実現される、端末。
【請求項２４】
メモリと、プロセッサと、前記メモリに格納されて前記プロセッサで動作可能なコンピュータプログラムを含むネットワーク側機器であって、
前記コンピュータプログラムが前記プロセッサによって実行されると、請求項１５〜２０のいずれか一項に記載の測定方法が実現される、ネットワーク側機器。
【請求項２５】
コンピュータプログラムが格納されているコンピュータ読み取り可能な記憶媒体であって、
前記コンピュータプログラムがプロセッサによって実行されると、請求項１〜１４のいずれか一項に記載の測定方法が実現、又は、請求項１５〜２０のいずれか一項に記載の測定方法が実現される、コンピュータ読み取り可能な記憶媒体。
【発明の詳細な説明】
【技術分野】
【０００１】
本願は、２０１８年４月４日に中国特許庁に提出された中国特許出願２０１８１０３０２２０１．５の優先権を主張し、その全ての内容が援用によりここに取り込まれる。
本開示は、通信技術分野に係り、特に測定方法、端末及びネットワーク側機器に係る。
【背景技術】
【０００２】
ＬＴＥ（Ｌｏｎｇ  Ｔｅｒｍ  Ｅｖｏｌｕｔｉｏｎ）システムでは、ＣＡ（Ｃａｒｒｉｅｒ  Ａｇｇｒｅｇａｔｉｏｎ）技術が導入されている。キャリアアグリゲーション技術では、１つの端末が複数のセルを介してネットワークと通信接続を行うことができる。そのうち１つのセルは、ＰＣｅｌｌ（Ｐｒｉｍａｒｙ  Ｃｅｌｌ）であり、他のセルは、ＳＣｅｌｌ（Ｓｅｃｏｎｄａｒｙ  Ｃｅｌｌ）である。このうち、ＳＣｅｌｌは、活性状態と非活性状態の２つの状態を有し、ＰＣｅｌｌは、常に活性状態を維持する。
【０００３】
ＬＴＥシステムでは、キャリア快速活性化／非活性化（ｆａｓｔ  ＳＣｅｌｌ  ａｃｔｉｖａｔｉｏｎ  ｄｅａｃｔｉｖａｔｉｏｎ）機能も導入される。ＬＴＥにおけるキャリア快速活性化／非活性化の方法として、端末がアイドル状態（ｉｄｌｅ状態）で測定する周波数をネットワーク側機器からＳＩＢ５（Ｓｙｓｔｅｍ  Ｉｎｆｏｒｍａｔｉｏｎ  Ｂｌｏｃｋ  Ｔｙｐｅ５）で指示し、端末は、接続状態（Ｃｏｎｎｅｃｔｅｄ状態）に入った後に、直ちに測定結果の利用が可能であることを報告し、端末による測定結果の報告がネットワーク側機器から求められる場合、測定結果を報告する。これにより、ネットワーク側機器は、端末から報告された測定結果に基づいて、キャリア（Ｃａｒｒｉｅｒ）又はＳＣｅｌｌ（Ｓｅｃｏｎｄａｒｙ  Ｃｅｌｌ）を快速に設定して活性化することができる。以上の過程は、ＬＴＥ  ＣＡが利用する増強方法（Ｅｎｈａｎｃｉｎｇ  ＬＴＥ  ＣＡ  ｕｔｉｌｉｚａｔｉｏｎ）ともいう。
【０００４】
５Ｇ  ＮＲ（５ｔｈ−Ｇｅｎｅｒａｔｉｏｎ  Ｎｅｗ  Ｒａｄｉｏ）システムにおいて、システムメッセージは、ＭＳＩ（Ｍｉｎｉｍｕｍ  ＳＩ）と他のシステムメッセージ（ｏｔｈｅｒ  ＳＩ）の２種類に分けられる。ここで、ＭＳＩは、ＭＩＢ（Ｍａｓｔｅｒ  Ｉｎｆｏｒｍａｔｉｏｎ  Ｂｌｏｃｋ）とＳＩＢ１（Ｓｙｓｔｅｍ  Ｉｎｆｏｒｍａｔｉｏｎ  Ｂｌｏｃｋ  Ｔｙｐｅ１）とを含み、ネットワーク側機器からＵＥに直接ブロードキャストする。ＳＩＢ２、ＳＩＢ３、ＳＩＢ４、ＳＩＢ５などを含む他のシステムメッセージの場合、端末からネットワーク側機器に該当する他のシステムメッセージの取得要求を送信した後に、端末から要求される他のシステムメッセージをネットワーク側機器から端末に送信する必要があるため、このようなシステムメッセージは、Ｏｎ  ｄｅｍａｎｄ  ＳＩ（要求に基づくシステムメッセージ）とも呼ばれている。５Ｇ  ＮＲシステムにおける他のシステムメッセージは、ＬＴＥシステムにおけるブロードキャストメカニズム及びシステムメッセージ内容の相違から、ＬＴＥシステムにおける快速活性化／非活性化方法は、５Ｇ  ＮＲシステムに適用できない。
【０００５】
このように、従来技術では、５Ｇ  ＮＲなどの通信システムではセルの快速な活性化／非活性化ができないため、５Ｇ  ＮＲなどの通信システムの通信性能が悪いという問題点があった。
【発明の概要】
【発明が解決しようとする課題】
【０００６】
本開示の実施例は、セルの快速な活性化／非活性化ができないことに起因して通信システムの通信性能が悪いという問題を解決するために、測定方法、端末及びネットワーク側機器を提供する。
【課題を解決するための手段】
【０００７】
第１態様として、本開示の実施例は、端末に応用される測定方法を提供する。
当該測定方法において、
前記端末が非接続状態にある場合、ネットワーク側機器から送信される第１システムメッセージを取得することと、
前記第１システムメッセージに基づいて、対応する測定動作を実行することとを含み、
ここで、前記第１システムメッセージは、
快速な活性化／非活性化機能がセルでサポートされるか否かを指示すること、
快速な活性化／非活性化の測定情報を設定するための第２システムメッセージを前記ネットワーク側機器がブロードキャストするか否かを指示すること、
快速な活性化／非活性化を設定するための測定情報が第３システムメッセージに含まれているか否かを指示すること、及び、前記第３システムメッセージを前記ネットワーク側機器がブロードキャストするか否かを指示すること、
の少なくとも１つに用いられる。
【０００８】
第２態様として、本開示の実施例は、ネットワーク側機器に応用される測定方法を提供する。
当該測定方法において、
非接続状態にある端末に第１システムメッセージを送信し、前記端末に前記第１システムメッセージに基づいて対応する測定動作を実行させることを含み、
ここで、前記第１システムメッセージは、
快速な活性化／非活性化機能がセルでサポートされるか否かを指示すること、
快速な活性化／非活性化の測定情報を設定するための第２システムメッセージを前記ネットワーク側機器がブロードキャストするか否かを指示すること、
快速な活性化／非活性化を設定するための測定情報が第３システムメッセージに含まれているか否かを指示すること、及び、前記第３システムメッセージを前記ネットワーク側機器がブロードキャストするか否かを指示すること、
の少なくとも１つに用いられる。
【０００９】
第３態様として、本開示の実施例は、端末を提供する。
当該端末は、
前記端末が非接続状態にある場合、ネットワーク側機器から送信される第１システムメッセージを取得する取得モジュールと、
前記第１システムメッセージに基づいて、対応する測定動作を実行する実行モジュールとを含み、
ここで、前記第１システムメッセージは、
快速な活性化／非活性化機能がセルでサポートされるか否かを指示すること、
快速な活性化／非活性化の測定情報を設定するための第２システムメッセージを前記ネットワーク側機器がブロードキャストするか否かを指示すること、
快速な活性化／非活性化を設定するための測定情報が第３システムメッセージに含まれているか否かを指示すること、及び、前記第３システムメッセージを前記ネットワーク側機器がブロードキャストするか否かを指示すること、
の少なくとも１つに用いられる。
【００１０】
第４態様として、本開示の実施例は、ネットワーク側機器を提供する。
当該ネットワーク側機器は、
非接続状態にある端末に第１システムメッセージを送信し、前記端末に前記第１システムメッセージに基づいて対応する測定動作を実行させる送信モジュールを含み、
ここで、前記第１システムメッセージは、
快速な活性化／非活性化機能がセルでサポートされるか否かを指示すること、
快速な活性化／非活性化の測定情報を設定するための第２システムメッセージを前記ネットワーク側機器がブロードキャストするか否かを指示すること、
快速な活性化／非活性化を設定するための測定情報が第３システムメッセージに含まれているか否かを指示すること、及び、前記第３システムメッセージを前記ネットワーク側機器がブロードキャストするか否かを指示すること、
の少なくとも１つに用いられる。
【００１１】
第５態様として、本開示の実施例は、端末を提供する。
当該端末において、メモリと、プロセッサと、前記メモリに格納されて前記プロセッサで動作可能なコンピュータプログラムを含み、
前記コンピュータプログラムが前記プロセッサによって実行されると、本開示の実施例の端末に対応する測定方法が実現される。
【００１２】
第６態様として、本開示の実施例は、ネットワーク側機器を提供する。
当該ネットワーク側機器において、メモリと、プロセッサと、前記メモリに格納されて前記プロセッサで動作可能なコンピュータプログラムを含み、
前記コンピュータプログラムが前記プロセッサによって実行されると、本開示の実施例のネットワーク側機器に対応する測定方法が実現される。
【００１３】
第７態様として、本開示の実施例は、記憶媒体を提供する。
コンピュータプログラムが格納されているコンピュータ読み取り可能な記憶媒体において、
前記コンピュータプログラムがプロセッサによって実行されると、本開示の実施例の端末に対応する測定方法、又は、ネットワーク側機器に対応する測定方法が実現される。
【発明の効果】
【００１４】
このように、本開示の実施例において、ネットワーク側機器から端末に直接ブロードキャストする第１システムメッセージにより、端末は、非接続状態で第１システムメッセージに基づいて、対応する測定動作を決定して実行することができる。端末は、非接続状態で測定動作を実行し、快速な活性化／非活性化の設定のために非接続状態の測定結果をネットワーク側機器に報告することができるので、通信システムの通信性能を向上させることができる。
【００１５】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００１６】
【図１】本開示の実施例の測定システムの構造図である。
【図２】本開示の実施例の測定方法のフローチャートである。
【図３】本開示の実施例の別の測定方法のフローチャートである。
【図４】本開示の実施例の端末の構造図である。
【図５】本開示の実施例のネットワーク側機器の構造図である。
【図６】本開示の実施例の別のネットワーク側機器の構造図である。
【図７】本開示の実施例の別のネットワーク側機器の構造図である。
【図８】本開示の実施例の別のネットワーク側機器の構造図である。
【図９】本開示の実施例の端末のハードウェア構造図である。
【図１０】本開示の実施例の別のネットワーク側機器のハードウェア構造図である。
【発明を実施するための形態】
【００１７】
以下、本開示の実施例の図面を参照しながら、本開示の実施例の技術手段を明確且つ完全的に記載する。明らかに、記載する実施例は、本開示の実施例の一部であり、全てではない。記載する本開示の実施例に基づき、当業者が創造性のある作業をせずに為しえる全ての実施例は、いずれも本開示の保護範囲に属するものである。
【００１８】
図１は、本開示の実施例の測定システムの構造図である。図１に示すように、測定システムは、端末ＵＥ（Ｕｓｅｒ  Ｅｑｕｉｐｍｅｎｔ）１１とネットワーク側機器１２を含む。ここで、端末１１は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）などの移動通信端末である。なお、本開示の実施例では、端末１１の具体的な種類を限定しない。上記ネットワーク側機器１２は、５Ｇネットワーク側機器（例えばｇＮＢ、５Ｇ  ＮＲ  ＮＢ）、４Ｇネットワーク側機器（例えばｅＮＢ）、又は３Ｇネットワーク側機器（例えばＮＢ）などである。なお、本開示の実施例では、ネットワーク側機器１２の具体的な種類を限定しない。
【００１９】
本開示の実施例において、端末が非接続状態にある場合、端末は、ネットワーク側機器から送信される第１システムメッセージを取得し、第１システムメッセージに基づいて、対応する測定動作を実行する。ここで、第１システムメッセージは、快速な活性化／非活性化機能がセルでサポートされるか否かを指示すること、快速な活性化／非活性化の測定情報を設定するための第２システムメッセージをネットワーク側機器がブロードキャストするか否かを指示すること、快速な活性化／非活性化を設定するための測定情報が第３システムメッセージに含まれているか否かを指示すること、及び、第３システムメッセージをネットワーク側機器がブロードキャストするか否かを指示することの少なくとも１つに用いられる。
【００２０】
ｅＬＴＥシステムと５Ｇ  ＮＲシステムでは、接続状態とアイドル状態に加えて、非活性状態（ｉｎａｃｔｉｖｅ状態）と呼ばれる独立したＲＲＣ（Ｒａｄｉｏ  Ｒｅｓｏｕｒｃｅ  Ｃｏｎｔｒｏｌ）状態が導入される。ここでアイドル状態及び非活性状態は、非接続状態と呼ばれる。従って、本開示の実施例は、ｅＬＴＥシステム又は５Ｇ  ＮＲシステムにおけるアイドル状態又は非活性状態にある端末に適用することができる。
【００２１】
本開示の実施例において、快速な活性化／非活性化は、ｅＬＴＥシステム又は５Ｇ  ＮＲシステムに適用するキャリア快速活性化／非活性化を指してもよいし、ｅＬＴＥシステム又は５Ｇ  ＮＲシステムに適用するＳＣｅｌｌ快速活性化／非活性化を指してもよく、更に５Ｇ  ＮＲシステムに適用するＢＷＰ（Ｂａｎｄｗｉｄｔｈ  Ｐａｒｔ）快速活性化／非活性化などを指してもよい。
【００２２】
このように、本開示の実施例において、ネットワーク側機器から端末に直接ブロードキャストする第１システムメッセージにより、端末は、非接続状態で第１システムメッセージに基づいて、対応する測定動作を決定して実行することができる。端末は、非接続状態で測定動作を実行し、非接続状態の測定結果を快速な活性化／非活性化の設定のためにネットワーク側機器に報告することができるので、通信システムの通信性能を向上させることができる。
【００２３】
図２は、本開示の実施例の測定方法のフローチャートである。図２に示すように、端末に応用される測定方法は、以下のステップを含む。
【００２４】
ステップ２０１において、端末が非接続状態にある場合、ネットワーク側機器から送信される第１システムメッセージを取得する。
【００２５】
ここで、第１システムメッセージは、
快速な活性化／非活性化機能がセルでサポートされるか否かを指示すること、
快速な活性化／非活性化の測定情報を設定するための第２システムメッセージをネットワーク側機器がブロードキャストするか否かを指示すること、
快速な活性化／非活性化を設定するための測定情報が第３システムメッセージに含まれているか否かを指示すること、及び、第３システムメッセージをネットワーク側機器がブロードキャストするか否かを指示すること、
の少なくとも１つに用いられる。
【００２６】
５Ｇ  ＮＲシステムを例にとると、端末の非接続状態は、ｉｄｌｅ状態であってもよいし、ｉｎａｃｔｉｖｅ状態であってもよい。第１システムメッセージは、ネットワーク側機器から端末に直接ブロードキャストすることができるシステムメッセージ、例えば、ＳＩＢ１又はＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）を指す。第２システムメッセージ（又は第３システムメッセージ）は、ネットワーク側機器から端末に直接ブロードキャストするのではなく、端末の要求に基づいて送信し、且つネットワーク側機器から端末に快速な活性化／非活性化の測定情報を設定するシステムメッセージを指し、例えばＳＩＢ５又はＳＩＢＸなどの他のシステムメッセージブロックタイプである。ここで、５Ｇ  ＮＲシステムでは、快速な活性化／非活性化設定を含むＳＩＢに対して、ＬＴＥシステムと同様にＳＩＢ５において多重化すると仮定する。すなわち、ＳＩＢ５は、セル再選択の測定情報のみならず、快速な活性化／非活性化を設定するための測定情報も含む。又は、５Ｇ  ＮＲシステムにおいて、快速な活性化／非活性化設定を含むＳＩＢに対して新たなＳＩＢＸ（Ｘは、関連技術におけるＳＩＢタイプ１〜２２とは異なる整数であり、例えばＳＩＢ２３）を導入すると仮定する。ＳＩＢＸは、ＬＴＥシステムのＳＩＢ５とは異なり、快速な活性化／非活性化の測定情報を設定することのみに用いられる。
【００２７】
端末は、非接続状態で測定能力を有する端末と理解でき、且つネットワーク側機器Ａからネットワーク側機器Ｂに進入する前に、ネットワーク側機器Ｂから送信される第１システムメッセージを取得するまでの過程で非接続状態で測定を行う。本開示の実施例に係るネットワーク側機器は、いずれもネットワーク側機器Ｂと理解できる。
【００２８】
ステップ２０２において、第１システムメッセージに基づいて、対応する測定動作を実行する。
【００２９】
具体的な実現において、端末は、第１システムメッセージによって指示される内容に基づいて、対応する測定動作を実行する。以下、第１システムメッセージ指示と端末が実行する測定動作との対応関係について、以下の実施例を通じて具体的に記載する。
【００３０】
実施例１：第１システムメッセージは、快速な活性化／非活性化機能がセルでサポートされるか否かを指示する。
ここで、第１システムメッセージ（例えば、ＳＩＢ１又はＲＭＳＩ）は、快速な活性化／非活性化機能がセルでサポートされないことを指示する場合、ステップ２０２は、
端末が非接続状態での測定を停止すること、
端末が接続状態に入った場合、又は端末が非接続状態から接続状態に移行する過程で、端末が非接続状態の測定結果の利用が可能であることを報告しないこと、
の少なくとも１つを含む。
【００３１】
本実施形態において、第１システムメッセージによって、快速な活性化／非活性化機能がセルでサポートされないことを指示するため、端末は、非接続状態での測定を停止してもよく、端末が接続状態に入った場合、又は端末が非接続状態から接続状態に移行する過程で、非接続状態の測定結果の利用が可能であることを報告しなくてもよい。
【００３２】
ここで、第１システムメッセージ（例えば、ＳＩＢ１又はＲＭＳＩ）は、快速な活性化／非活性化機能がセルでサポートされることを指示し、且つ、第２システムメッセージ（第２システムメッセージは、ＳＩＢ５又はＳＩＢＸのような、ネットワーク側機器から快速な活性化／非活性化の測定情報を設定するためのシステムメッセージを指す）をネットワーク側機器がブロードキャストしていないことを指示する場合、ステップ２０２は、
非接続状態での測定を停止すること、
端末が接続状態に入った場合、又は端末が非接続状態から接続状態に移行する過程で、報告条件を満たす測定結果があれば、非接続状態の測定結果の利用が可能であることを報告すること、
の少なくとも１つを含む。
【００３３】
本実施形態において、第１システムメッセージは、快速な活性化／非活性化機能がセルでサポートされることを指示する一方で、快速な活性化／非活性化の測定情報を設定するための第２システムメッセージをネットワーク側機器がブロードキャストしていないことを指示する。この場合において、端末は、実際に、快速な活性化／非活性化の測定情報を取得することができないので、非接続状態での測定を停止する。また、第１システムメッセージによって、快速な活性化／非活性化機能がセルでサポートされることを指示するため、快速な活性化／非活性化の測定情報を設定するための第２システムメッセージをネットワーク側機器がブロードキャストしていないことを第１システムメッセージによって指示しても、端末は、利用可能な測定結果があれば、利用可能な測定結果をネットワーク側機器に報告する。
【００３４】
ここで、第１システムメッセージ（例えば、ＳＩＢ１又はＲＭＳＩ）は、快速な活性化／非活性化機能がセルでサポートされることを指示し、且つ、第２システムメッセージ（第２システムメッセージは、ＳＩＢ５又はＳＩＢＸのような、ネットワーク側機器から快速な活性化／非活性化の測定情報を設定するためのシステムメッセージを指す）をネットワーク側機器がブロードキャストしていることを指示する場合、ステップ２０２は、
第２システムメッセージ又は第３システムメッセージに含まれる快速な活性化／非活性化を設定するための測定情報を読み取ることと、
測定情報に設定された周波数ポイントを取得することと、
非接続状態で設定された周波数ポイントを測定することとを含む。
【００３５】
本実施形態において、ステップ２０２は、端末が接続状態に入った場合、又は端末が非接続状態から接続状態に移行する過程で、報告条件を満たす測定結果があれば、非接続状態の測定結果の利用が可能であることを報告することを更に含む。
【００３６】
本実施形態において、第１システムメッセージは、快速な活性化／非活性化機能がセルでサポートされることを指示し、且つ、快速な活性化／非活性化の測定情報を設定するための第２システムメッセージをネットワーク側機器がブロードキャストしていることを指示するので、端末は、測定情報に設定された周波数ポイントに基づいて、非接続状態で測定周波数ポイントを更新して測定を行うことができる。端末は、報告条件を満たす測定結果をネットワーク側機器に報告することもできる。端末が非接続状態で周波数ポイントの測定を前もって行うことにより、ネットワーク側機器による快速な活性化／非活性化設定を支援することができ、通信システムの通信性能を向上させることができる。
【００３７】
本実施例において、上記のいずれかの実施形態により、快速な活性化／非活性化がセルでサポートされる否かの指示を第１システムメッセージに導入することで、端末は、指示情報に基づいて、対応する測定動作及び測定報告動作を実行することができる。
【００３８】
実施例２：上記第１システムメッセージは、快速な活性化／非活性化を設定するための測定情報が第３システムメッセージに含まれているか、及び、上記第３システムメッセージをネットワーク側機器がブロードキャストしているかを指示する。
【００３９】
ここで、第１システムメッセージ（例えば、ＳＩＢ１又はＲＭＳＩ）は、快速な活性化／非活性化を設定するための測定情報が第３システムメッセージ（例えばＳＩＢ５）に含まれていないことを指示する場合、ステップ２０２は、
非接続状態での測定を停止すること、
端末が接続状態に入った場合、又は端末が非接続状態から接続状態に移行する過程で、非接続状態の測定結果の利用が可能であることを報告しないこと、
の少なくとも１つを含む。
【００４０】
本実施形態において、第１システムメッセージは、快速な活性化／非活性化を設定するための測定情報が第３システムメッセージに含まれていないことを指示する。この場合において、端末は、実際に、快速な活性化／非活性化の測定情報を取得することができないので、非接続状態での測定を停止する。
【００４１】
ここで、第１システムメッセージ（例えば、ＳＩＢ１又はＲＭＳＩ）は、快速な活性化／非活性化を設定するための測定情報が第３システムメッセージ（例えばＳＩＢ５）に含まれていること、及び、上記第３システムメッセージをネットワーク側機器がブロードキャストしていないことを指示する場合、ステップ２０２は、
第３システムメッセージの取得要求をネットワーク側機器に送信することと、
ネットワーク側機器から送信される第３システムメッセージを読み取ることと、
第３システムメッセージに含まれる快速な活性化／非活性化を設定するための測定情報を読み取ることと、
測定情報に設定された周波数ポイントを取得することと、
非接続状態で設定された周波数ポイントを測定することとを含む。
【００４２】
本実施形態において、ステップ２０２は、端末が接続状態に入った場合、又は端末が非接続状態から接続状態に移行する過程で、報告条件を満たす測定結果があれば、非接続状態の測定結果の利用が可能であることを報告することを更に含む。
【００４３】
本実施形態において、第１システムメッセージによって、快速な活性化／非活性化を設定するための測定情報が第３システムメッセージに含まれていることを指示するため、端末は、快速な活性化／非活性化機能がセルでサポートされる。従って、第１システムメッセージは、上記第３システムメッセージをネットワーク側機器がブロードキャストしていないことを指示しても、端末は、ネットワーク側機器に要求を送信して、第３システムメッセージをブロードキャストするようにネットワーク側機器に要求し、それによって非接続状態での測定が可能になる。端末が非接続状態で周波数ポイントの測定を前もって行うことにより、ネットワーク側機器による快速な活性化／非活性化設定を支援することができ、通信システムの通信性能を向上させることができる。
【００４４】
ここで、第１システムメッセージ（例えば、ＳＩＢ１又はＲＭＳＩ）は、快速な活性化／非活性化を設定するための測定情報が第３システムメッセージ（例えばＳＩＢ５）に含まれていること、及び、上記第３システムメッセージをネットワーク側機器がブロードキャストしていることを指示する場合、ステップ２０２は、
ネットワーク側機器から送信される第３システムメッセージを読み取ることと、
第３システムメッセージに含まれる快速な活性化／非活性化を設定するための測定情報を読み取ることと、
測定情報に設定された周波数ポイントを取得することと、
非接続状態で設定された周波数ポイントを測定することとを含む。
【００４５】
本実施形態において、ステップ２０２は、端末が接続状態に入った場合、又は端末が非接続状態から接続状態に移行する過程で、報告条件を満たす測定結果があれば、非接続状態の測定結果の利用が可能であることを報告することを更に含む。
【００４６】
本実施形態において、第１システムメッセージは、快速な活性化／非活性化を設定するための測定情報が第３システムメッセージに含まれていること、及び、上記第３システムメッセージをネットワーク側機器がブロードキャストしていることを指示するため、端末は、測定情報に設定された周波数ポイントに基づいて、非接続状態で測定周波数ポイントを更新して測定を行うことができる。端末は、報告条件を満たす測定結果をネットワーク側機器に報告することもできる。端末が非接続状態で周波数ポイントの測定を前もって行うことにより、ネットワーク側機器による快速な活性化／非活性化設定を支援することができ、通信システムの通信性能を向上させることができる。
【００４７】
本実施例において、上記のいずれかの実施形態により、快速な活性化／非活性化を設定するための測定情報が第３システムメッセージに含まれているかの指示を第１システムメッセージに導入し、上記第３システムメッセージをネットワーク側機器がブロードキャストするかを第１システムメッセージによって指示することによって、端末は、指示情報に基づいて、対応する測定動作及び測定報告動作を実行することができる。
【００４８】
実施例３：上記第１システムメッセージは、快速な活性化／非活性化の測定情報を設定するための第２システムメッセージをネットワーク側機器がブロードキャストするか否かを指示する。本実施例において、第１システムメッセージは、第２システムメッセージをネットワーク側機器がブロードキャストするか否かを指示することによって、快速な活性化／非活性化機能がセルでサポートされるかを暗黙的に指示することができる。
【００４９】
ここで、第１システムメッセージ（例えば、ＳＩＢ１又はＲＭＳＩ）は、第２システムメッセージ（例えばＳＩＢＸ）をネットワーク側機器がブロードキャストしていないことを指示する場合、ステップ２０２は、
非接続状態での測定を停止すること、
端末が接続状態に入った場合、又は端末が非接続状態から接続状態に移行する過程で、非接続状態の測定結果の利用が可能であることを報告しないこと、
の少なくとも１つを含む。
【００５０】
本実施形態において、第１システムメッセージによって、第２システムメッセージをネットワーク側機器がブロードキャストしていないことを指示するため、端末は、快速な活性化／非活性化機能がセルでサポートされないことを取得する。そして、端末は、非接続状態での測定を停止してもよく、端末が接続状態に入った場合、又は端末が非接続状態から接続状態に移行する過程で、端末は、非接続状態の測定結果の利用が可能であることを報告しなくてもよい。
【００５１】
ここで、第１システムメッセージ（例えば、ＳＩＢ１又はＲＭＳＩ）は、第２システムメッセージ（例えばＳＩＢＸ）をネットワーク側機器がブロードキャストしていることを指示する場合、ステップ２０２は、
第２システムメッセージに設定された周波数ポイントを取得することと、
非接続状態で設定された周波数ポイントを測定することとを含む。
【００５２】
本実施形態において、ステップ２０２は、端末が接続状態に入った場合、又は端末が非接続状態から接続状態に移行する過程で、報告条件を満たす測定結果があれば、非接続状態の測定結果の利用が可能であることを報告することを更に含む。
【００５３】
本実施形態において、第１システムメッセージによって、第２システムメッセージをネットワーク側機器がブロードキャストしていることを指示するため、端末は、快速な活性化／非活性化機能がセルでサポートされることを取得する。そして、端末は、測定情報に設定された周波数ポイントに基づいて、非接続状態で測定周波数ポイントを更新して測定を行うことができる。端末は、報告条件を満たす測定結果をネットワーク側機器に報告することもできる。端末が非接続状態で周波数ポイントの測定を前もって行うことにより、ネットワーク側機器による快速な活性化／非活性化設定を支援することができ、通信システムの通信性能を向上させることができる。
【００５４】
本実施例において、上記のいずれかの実施形態により、第２システムメッセージをネットワーク側機器がブロードキャストするかの指示を第１システムメッセージに導入することで、端末は、指示情報に基づいて、対応する測定動作及び測定報告動作を実行することができる。
【００５５】
このように、本開示の実施例において、ネットワーク側機器から端末に直接ブロードキャストする第１システムメッセージによって、端末は、非接続状態で第１システムメッセージに基づいて、対応する測定動作を決定して実行することができる。端末が非接続状態で測定動作を実行することができるため、端末が非接続状態と接続状態との間を移行する際に生じる遅延を低減することができ、通信システムの通信性能を向上させることができる。
【００５６】
図３は、本開示の実施例の別の測定方法のフローチャートである。図３に示すように、ネットワーク側機器に応用される測定方法は、以下のステップを含む。
ステップ３０１において、非接続状態にある端末に第１システムメッセージを送信し、端末に第１システムメッセージに基づいて対応する測定動作を実行させる。
ここで、第１システムメッセージは、
快速な活性化／非活性化機能がセルでサポートされるか否かを指示すること、
快速な活性化／非活性化の測定情報を設定するための第２システムメッセージをネットワーク側機器がブロードキャストするか否かを指示すること、
快速な活性化／非活性化を設定するための測定情報が第３システムメッセージに含まれているか否かを指示すること、及び、第３システムメッセージをネットワーク側機器がブロードキャストするか否かを指示すること、
の少なくとも１つに用いられる。
【００５７】
選択可能に、方法は、端末から報告条件を満たす測定結果がある場合、端末から報告された測定結果を受信することを更に含む。
【００５８】
選択可能に、方法は、第２システムメッセージを端末に送信することを更に含む。
【００５９】
選択可能に、方法は、端末から送信された第３システムメッセージの取得要求を受信することと、第３システムメッセージを端末に送信することとを更に含む。
【００６０】
選択可能に、非接続状態は、アイドル（ｉｄｌｅ）状態又は非活性化（ｉｎａｃｔｉｖｅ）状態を含み、
第１システムメッセージは、システムメッセージブロックタイプ１（ＳＩＢ１）又は残りの最小システムメッセージ（ＲＭＳＩ）を含み、
第２システムメッセージは、システムメッセージブロックタイプ５（ＳＩＢ５）又は他のシステムメッセージブロックタイプを含み、
第３システムメッセージは、ＳＩＢ５又は他のシステムメッセージブロックタイプを含む。
【００６１】
選択可能に、端末は、非接続状態で測定能力を有する端末であり、且つ、ネットワーク側機器から送信される第１システムメッセージを取得する前に、非接続状態で測定を行う。
【００６２】
なお、本開示の実施例は、図２に示す実施例に対応するネットワーク側機器の実施例として、その具体的な実施形態について、図２に示す実施例の関連説明を参照されたい。図２に示す実施例と同じ効果を奏することもできるので、重複を避けるために、ここでは繰り返して記載しない。
【００６３】
図４は、本開示の実施例の端末の構造図である。
図４に示すように、端末４００は、
端末が非接続状態にある場合、ネットワーク側機器から送信される第１システムメッセージを取得する取得モジュール４０１と、
第１システムメッセージに基づいて、対応する測定動作を実行する実行モジュール４０２とを含む。
ここで、第１システムメッセージは、
快速な活性化／非活性化機能がセルでサポートされるか否かを指示すること、
快速な活性化／非活性化の測定情報を設定するための第２システムメッセージをネットワーク側機器がブロードキャストするか否かを指示すること、
快速な活性化／非活性化を設定するための測定情報が第３システムメッセージに含まれているか否かを指示すること、及び、第３システムメッセージをネットワーク側機器がブロードキャストするか否かを指示すること、
の少なくとも１つに用いられる。
【００６４】
選択可能に、実行モジュール４０２は、具体的には、
非接続状態での測定を停止することと、
端末が接続状態に入った場合、又は端末が非接続状態から接続状態に移行する過程で、非接続状態の測定結果の利用が可能であることを報告しないことと、
端末が接続状態に入った場合、又は端末が非接続状態から接続状態に移行する過程で、報告条件を満たす測定結果があれば、非接続状態の測定結果の利用が可能であることを報告すること、
の少なくとも１つに用いられる。
【００６５】
選択可能に、第１システムメッセージは、快速な活性化／非活性化機能がセルでサポートされることを指示し、且つ、第２システムメッセージをネットワーク側機器がブロードキャストしていることを指示する場合、
実行モジュール４０２は、具体的には、
第２システムメッセージに含まれる快速な活性化／非活性化を設定するための測定情報を読み取ることと、
測定情報に設定された周波数ポイントを取得することと、
非接続状態で設定された周波数ポイントを測定することに用いられる。
【００６６】
選択可能に、第１システムメッセージは、快速な活性化／非活性化を設定するための測定情報が第３システムメッセージに含まれていること、及び、第３システムメッセージをネットワーク側機器がブロードキャストしていないことを指示する場合、
実行モジュール４０２は、具体的には、
第３システムメッセージの取得要求をネットワーク側機器に送信することと、
ネットワーク側機器から送信される第３システムメッセージを読み取ることと、
第３システムメッセージに含まれる快速な活性化／非活性化を設定するための測定情報を読み取ることと、
測定情報に設定された周波数ポイントを取得することと、
非接続状態で設定された周波数ポイントを測定することとに用いられる。
【００６７】
選択可能に、第１システムメッセージは、快速な活性化／非活性化を設定するための測定情報が第３システムメッセージに含まれていること、及び、第３システムメッセージをネットワーク側機器がブロードキャストしていることを指示する場合、
実行モジュール４０２は、具体的には、
ネットワーク側機器から送信される第３システムメッセージを読み取ることと、
第３システムメッセージに含まれる快速な活性化／非活性化を設定するための測定情報を読み取ることと、
測定情報に設定された周波数ポイントを取得することと、
非接続状態で設定された周波数ポイントを測定することとに用いられる。
【００６８】
選択可能に、第１システムメッセージは、第２システムメッセージをネットワーク側機器がブロードキャストしていることを指示する場合、
実行モジュール４０２は、具体的には、
第２システムメッセージに設定された周波数ポイントを取得することと、
非接続状態で設定された周波数ポイントを測定することとに用いられる。
【００６９】
選択可能に、非接続状態は、アイドル（ｉｄｌｅ）状態又は非活性化（ｉｎａｃｔｉｖｅ）状態を含み、
第１システムメッセージは、システムメッセージブロックタイプ１（ＳＩＢ１）又は残りの最小システムメッセージ（ＲＭＳＩ）を含み、
第２システムメッセージは、システムメッセージブロックタイプ５（ＳＩＢ５）又は他のシステムメッセージブロックタイプを含み、
第３システムメッセージは、ＳＩＢ５又は他のシステムメッセージブロックタイプを含む。
【００７０】
選択可能に、端末は、非接続状態で測定能力を有する端末であり、且つ、ネットワーク側機器からセルで送信される第１システムメッセージを取得する前に、非接続状態で測定を行う。
【００７１】
なお、本開示の実施例における上記端末４００は、方法実施例における任意の実施形態の端末であってもよく、方法実施例における端末の任意の実施形態を本開示の実施例における上記端末４００によって実現することができ、同じ効果を奏することもできるので、重複を避けるために、ここでは繰り返して記載しない。
【００７２】
図５は、本開示の実施例のネットワーク側機器の構造図である。
図５に示すように、ネットワーク側機器５００は、
非接続状態にある端末に第１システムメッセージを送信し、端末に第１システムメッセージに基づいて対応する測定動作を実行させる第１送信モジュール５０１を含む。
ここで、第１システムメッセージは、
快速な活性化／非活性化機能がセルでサポートされるか否かを指示すること、
快速な活性化／非活性化の測定情報を設定するための第２システムメッセージをネットワーク側機器がブロードキャストするか否かを指示すること、
快速な活性化／非活性化を設定するための測定情報が第３システムメッセージに含まれているか否かを指示すること、及び、第３システムメッセージをネットワーク側機器がブロードキャストするか否かを指示すること、
の少なくとも１つに用いられる。
【００７３】
選択可能に、図６に示すように、ネットワーク側機器５００は、端末から報告条件を満たす測定結果がある場合、端末から報告された測定結果を受信する第１受信モジュール５０２を更に含む。
【００７４】
選択可能に、図７に示すように、ネットワーク側機器５００は、第２システムメッセージを端末に送信する第２送信モジュール５０３を更に含む。
【００７５】
選択可能に、図８に示すように、ネットワーク側機器５００は、端末から送信された第３システムメッセージの取得要求を受信する第２受信モジュール５０４と、第３システムメッセージを端末に送信する第３送信モジュール５０５とを更に含む。
【００７６】
選択可能に、非接続状態は、アイドル（ｉｄｌｅ）状態又は非活性化（ｉｎａｃｔｉｖｅ）状態を含み、
第１システムメッセージは、システムメッセージブロックタイプ１（ＳＩＢ１）又は残りの最小システムメッセージ（ＲＭＳＩ）を含み、
第２システムメッセージは、システムメッセージブロックタイプ５（ＳＩＢ５）又は他のシステムメッセージブロックタイプを含み、
第３システムメッセージは、ＳＩＢ５又は他のシステムメッセージブロックタイプを含む。
【００７７】
選択可能に、端末は、非接続状態で測定能力を有する端末であり、且つ、ネットワーク側機器から送信される第１システムメッセージを取得する前に、非接続状態で測定を行う。
【００７８】
なお、本開示の実施例における上記ネットワーク側機器５００は、方法実施例における任意の実施形態のネットワーク側機器であってもよく、方法実施例におけるネットワーク側機器の任意の実施形態を本開示の実施例における上記ネットワーク側機器５００によって実現することができ、同じ効果を奏することもできるので、重複を避けるために、ここでは繰り返して記載しない。
【００７９】
図９を参照する。図９は、本開示の各実施例を実現する端末のハードウェア構造図である。端末８００は、ラジオ周波数ユニット８０１と、ネットワークモジュール８０２と、音声出力ユニット８０３と、入力ユニット８０４と、センサ８０５と、表示ユニット８０６と、ユーザ入力ユニット８０７と、インタフェースユニット８０８と、メモリ８０９と、プロセッサ８１０と、電源８１１などの構成要素を含むが、これらに限定されない。図８に示されるＵＥの構造は、ＵＥを限定するものではなく、端末は、図示されるよりも多い又は少ない構成要素を含むことができ、又は特定の構成要素を組み合わせることができ、又は異なる構成要素の設定を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００８０】
ここで、プロセッサ８１０は、
端末が非接続状態にある場合、ネットワーク側機器から送信される第１システムメッセージを取得することと、
第１システムメッセージに基づいて、対応する測定動作を実行することとに用いられる。
ここで、第１システムメッセージは、
快速な活性化／非活性化機能がセルでサポートされるか否かを指示すること、
快速な活性化／非活性化の測定情報を設定するための第２システムメッセージをネットワーク側機器がブロードキャストするか否かを指示すること、
快速な活性化／非活性化を設定するための測定情報が第３システムメッセージに含まれているか否かを指示すること、及び、第３システムメッセージをネットワーク側機器がブロードキャストするか否かを指示すること、
の少なくとも１つに用いられる。
【００８１】
選択可能に、第１システムメッセージは、快速な活性化／非活性化機能がセルでサポートされないことを指示し、
プロセッサ８１０は、の第１システムメッセージに基づいて、対応する測定動作を実行するステップを実行する場合、更に、
非接続状態での測定を停止すること、
端末が接続状態に入った場合、又は端末が非接続状態から接続状態に移行する過程で、非接続状態の測定結果の利用が可能であることを報告しないこと、
の少なくとも１つを含む。
【００８２】
選択可能に、第１システムメッセージは、快速な活性化／非活性化機能がセルでサポートされることを指示し、且つ、第２システムメッセージをネットワーク側機器がブロードキャストしていないことを指示し、
プロセッサ８１０は、第１システムメッセージに基づいて、対応する測定動作を実行するステップを実行する場合、更に、
非接続状態での測定を停止すること、
端末が接続状態に入った場合、又は端末が非接続状態から接続状態に移行する過程で、報告条件を満たす測定結果があれば、非接続状態の測定結果の利用が可能であることを報告すること、
の少なくとも１つを含む。
【００８３】
選択可能に、第１システムメッセージは、快速な活性化／非活性化機能がセルでサポートされることを指示し、且つ、第２システムメッセージをネットワーク側機器がブロードキャストしていることを指示し、
プロセッサ８１０は、の第１システムメッセージに基づいて、対応する測定動作を実行するステップを実行する場合、更に、
第２システムメッセージに含まれる快速な活性化／非活性化を設定するための測定情報を読み取ることと、
測定情報に設定された周波数ポイントを取得することと、
非接続状態で設定された周波数ポイントを測定することとを含む。
【００８４】
選択可能に、プロセッサ８１０は、第１システムメッセージに基づいて、対応する測定動作を実行するステップを実行する場合、
端末が接続状態に入った場合、又は端末が非接続状態から接続状態に移行する過程で、報告条件を満たす測定結果があれば、非接続状態の測定結果の利用が可能であることを報告することを更に含む。
【００８５】
選択可能に、第１システムメッセージは、快速な活性化／非活性化を設定するための測定情報が第３システムメッセージに含まれていないことを指示し、
プロセッサ８１０は、第１システムメッセージに基づいて、対応する測定動作を実行するステップを実行する場合、更に、
非接続状態での測定を停止すること、
端末が接続状態に入った場合、又は端末が非接続状態から接続状態に移行する過程で、非接続状態の測定結果の利用が可能であることを報告しないこと、
の少なくとも１つを含む。
【００８６】
選択可能に、第１システムメッセージは、快速な活性化／非活性化を設定するための測定情報が第３システムメッセージに含まれていること、及び、第３システムメッセージをネットワーク側機器がブロードキャストしていないことを指示し、
プロセッサ８１０は、第１システムメッセージに基づいて、対応する測定動作を実行するステップを実行する場合、更に、
第３システムメッセージの取得要求をネットワーク側機器に送信することと、
ネットワーク側機器から送信される第３システムメッセージを読み取ることと、
第３システムメッセージに含まれる快速な活性化／非活性化を設定するための測定情報を読み取ることと、
測定情報に設定された周波数ポイントを取得することと、
非接続状態で設定された周波数ポイントを測定することとを含む。
【００８７】
選択可能に、第１システムメッセージは、快速な活性化／非活性化を設定するための測定情報が第３システムメッセージに含まれていること、及び、第３システムメッセージをネットワーク側機器がブロードキャストしていることを指示し、
プロセッサ８１０は、第１システムメッセージに基づいて、対応する測定動作を実行するステップを実行する場合、更に、
ネットワーク側機器から送信される第３システムメッセージを読み取ることと、
第３システムメッセージに含まれる快速な活性化／非活性化を設定するための測定情報を読み取ることと、
測定情報に設定された周波数ポイントを取得することと、
非接続状態で設定された周波数ポイントを測定することとを含む。
【００８８】
選択可能に、プロセッサ８１０は、第１システムメッセージに基づいて、対応する測定動作を実行するステップを実行する場合、
端末が接続状態に入った場合、又は端末が非接続状態から接続状態に移行する過程で、報告条件を満たす測定結果があれば、非接続状態の測定結果の利用が可能であることを報告することを更に含む。
【００８９】
選択可能に、第１システムメッセージは、第２システムメッセージをネットワーク側機器がブロードキャストしていないことを指示し、
プロセッサ８１０は、第１システムメッセージに基づいて、対応する測定動作を実行するステップを実行する場合、更に、
非接続状態での測定を停止することと、
端末が接続状態に入った場合、又は端末が非接続状態から接続状態に移行する過程で、非接続状態の測定結果の利用が可能であることを報告しないこととを含む。
【００９０】
選択可能に、第１システムメッセージは、第２システムメッセージをネットワーク側機器がブロードキャストしていることを指示し、
プロセッサ８１０は、第１システムメッセージに基づいて、対応する測定動作を実行するステップを実行する場合、更に、
第２システムメッセージに設定された周波数ポイントを取得することと、
非接続状態で設定された周波数ポイントを測定することとを含む。
【００９１】
選択可能に、プロセッサ８１０は、第１システムメッセージに基づいて、対応する測定動作を実行するステップを実行する場合、
端末が接続状態に入った場合、又は端末が非接続状態から接続状態に移行する過程で、報告条件を満たす測定結果があれば、非接続状態の測定結果の利用が可能であることを報告することを更に含む。
【００９２】
選択可能に、非接続状態は、アイドル（ｉｄｌｅ）状態又は非活性化（ｉｎａｃｔｉｖｅ）状態を含み、
第１システムメッセージは、システムメッセージブロックタイプ１（ＳＩＢ１）又は残りの最小システムメッセージ（ＲＭＳＩ）を含み、
第２システムメッセージは、システムメッセージブロックタイプ５（ＳＩＢ５）又は他のシステムメッセージブロックタイプを含み、
第３システムメッセージは、ＳＩＢ５又は他のシステムメッセージブロックタイプを含む。
【００９３】
選択可能に、端末は、非接続状態で測定能力を有する端末であり、且つ、ネットワーク側機器からセルで送信される第１システムメッセージを取得する前に、非接続状態で測定を行う。
【００９４】
本開示の実施例において、ネットワーク側機器から端末に直接ブロードキャストする第１システムメッセージにより、端末は、非接続状態で第１システムメッセージに基づいて、対応する測定動作を決定して実行することができる。端末は、非接続状態で測定動作を実行し、非接続状態の測定結果を快速な活性化／非活性化の設定のためにネットワーク側機器に報告することができるので、通信システムの通信性能を向上させることができる。
【００９５】
なお、本開示の実施例において、ラジオ周波数ユニット８０１は、情報の送受信又は通話中で信号の送受信に用いられ、具体的に、基地局からの下りデータを受信した後、プロセッサ８１０による処理に供し、また、上りデータを基地局に送信する。一般に、ラジオ周波数ユニット８０１は、アンテナ、少なくとも１つの増幅器、トランシーバ、結合器、低雑音増幅器、デュプレクサなどを含むが、それらに限定されない。また、ラジオ周波数ユニット８０１は、無線通信システムを介してネットワークや他の機器と通信を行うこともできる。
【００９６】
端末は、ネットワークモジュール８０２を介して、電子メールの送受信、ウェブページの閲覧、ストリーミングメディアへのアクセスを支援するなど、無線ブロードバンドインターネットアクセスをユーザに提供する。
【００９７】
音声出力ユニット８０３は、ラジオ周波数ユニット８０１やネットワークモジュール８０２が受信した音声データや、メモリ８０９に記憶された音声データを音声信号に変換して音声として出力することができる。また、音声出力ユニット８０３は、端末８００が実行する特定の機能に関する音声（例えば、呼出信号着信音、メッセージ着信音等）を出力してもよい。音声出力ユニット８０３は、スピーカ、ブザー及びレシーバなどを含む。
【００９８】
入力ユニット８０４は、音声や映像の信号を受信することに用いられる。入力ユニット８０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）８０４１と、マイク８０４２とを含む。処理された画像フレームは、表示ユニット８０６上に表示される。グラフィックスプロセッサ８０４１で処理された画像フレームは、メモリ８０９（又は他の記憶媒体）に記憶されるか、又はラジオ周波数ユニット８０１又はネットワークモジュール８０２を介して送信される。マイク８０４２は、音声を受信し、音声データに加工することができる。処理された音声データは、電話通話モードの場合、ラジオ周波数ユニット８０１を介して移動体通信基地局に送信可能な形式に変換して出力することができる。
【００９９】
端末８００は、光センサ、モーションセンサ及び他のセンサのような少なくとも１つのセンサ８０５を更に含む。具体的には、光センサは、周辺光センサ及び近接センサを含む。周辺光センサは、周辺光の明暗に応じて表示パネル８０６１の輝度を調節し、近接センサは、端末８００が耳に移動したときに表示パネル８０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ８０５は、指紋センサ、圧力センサ、虹彩センサ、分子センサ、ジャイロスコープ、気圧計、湿度計、温度計、赤外線センサなどを更に含むことができるが、ここでは枚挙しない。
【０１００】
表示ユニット８０６は、ユーザが入力した情報やユーザに提供した情報を表示するために用いられる。表示ユニット８０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル８０６１を含んでもよい。
【０１０１】
ユーザ入力ユニット８０７は、数字や文字情報の入力を受け付け、ユーザによる端末の設定や機能制御に関するキー信号の入力を行うことに用いられる。具体的に、ユーザ入力ユニット８０７は、タッチスクリーン８０７１と、その他の入力機器８０７２とを含む。タッチスクリーン８０７１は、その上又は付近でのユーザのタッチ操作を取得可能である（たとえばユーザが指やスタイラスなどの任意の適切な物体や付属部材を用いたタッチスクリーン８０７１の上又はタッチスクリーン８０７１の付近での操作）。タッチスクリーン８０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ８１０に送り、プロセッサ８１０からの命令を受信して実行する。なお、タッチスクリーン８０７１は、抵抗膜式、静電容量式、赤外線、表面弾性波など、種々の方式を用いて実現することができる。ユーザ入力ユニット８０７は、タッチスクリーン８０７１の他に、他の入力機器８０７２を含んでもよい。具体的に、他の入力機器８０７２は、物理的なキーボード、機能キー（例えば、音量調節キー、スイッチキーなど）、トラックボール、マウス、レバーを含むが、ここでは枚挙しない。
【０１０２】
更に、タッチスクリーン８０７１は、表示パネル８０６１に重ねられる。タッチスクリーン８０７１は、その上又はその近くでタッチ操作を検出すると、プロセッサ８１０に送信して、タッチイベントのタイプを決定する。次いで、プロセッサ８１０は、タッチイベントのタイプに応じて、対応する視覚的出力を表示パネル８０６１に提供する。図８では、タッチスクリーン８０７１と表示パネル８０６１は、独立した２つの部品として端末の入出力機能を実現するが、実施例によっては、タッチスクリーン８０７１と表示パネル８０６１を一体化して端末の入出力機能を実現することもでき、具体的にここでは限定しない。
【０１０３】
インタフェースユニット８０８は、外部装置と端末８００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット３８は、外部装置から入力（たとえば、データ情報、電力など）を受信し、受信した入力を端末８００内の１つ以上の要素に伝送するために使用されてもよく、又は端末８００と外部装置との間でデータを伝送するために使用されてもよい。
【０１０４】
メモリ８０９は、ソフトウェアプログラム及び様々なデータを格納するために使用される。メモリ８０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ８０９は、快速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０１０５】
プロセッサ８１０は、端末の制御センタであり、各種インタフェースや回線を用いて端末全体の各部を接続し、メモリ８０９に格納されたソフトウェアプログラム及び／又はモジュールを実行、メモリ８０９に格納されたデータを呼び出して端末の各種機能及び処理データを実行し、端末全体の監視を行う。プロセッサ８１０は、１つ以上の処理ユニットを含んでもよい。選択可能に、プロセッサ８１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ８１０に統合されなくてもよいことが理解される。
【０１０６】
端末８００は、各構成要素に電力を供給するためのバッテリのような電源８１１を更に含んでもよい。選択可能に、電源８１１は、電源管理システムを介してプロセッサ８１０に論理的に接続されてもよく、電源管理システムを介して充電、放電、及び消費電力管理などを管理する機能を実現してもよい。
【０１０７】
また、端末８００は、図示しない機能モジュールを更に含んでもよく、ここでの説明は省略する。
【０１０８】
選択可能に、本開示の実施例は、プロセッサ８１０と、メモリ８０９と、メモリ８０９に格納されてプロセッサ８１０で動作可能なコンピュータプログラムを含む端末を更に提供し、コンピュータプログラムがプロセッサ８１０によって実行されると、上記測定方法の実施例の各プロセスが実現され、且つ同じ技術効果を奏することもできるので、重複を避けるために、ここでは繰り返して記載しない。
【０１０９】
図９を参照する。図９は、本開示の実施例の別のネットワーク側機器の構造図である。図９に示すように、ネットワーク側機器９００は、プロセッサ９０１と、トランシーバ９０２と、メモリ９０３と、バスインタフェースを含む。
ここで、トランシーバ９０２は、
非接続状態にある端末に第１システムメッセージを送信し、端末に第１システムメッセージに基づいて対応する測定動作を実行させることと、
端末から報告条件を満たす測定結果がある場合、端末から報告された測定結果を受信することとに用いられる。
【０１１０】
ここで、第１システムメッセージは、
快速な活性化／非活性化機能がセルでサポートされるか否かを指示すること、
快速な活性化／非活性化の測定情報を設定するための第２システムメッセージをネットワーク側機器がブロードキャストするか否かを指示すること、
快速な活性化／非活性化を設定するための測定情報が第３システムメッセージに含まれているか否かを指示すること、及び、第３システムメッセージをネットワーク側機器がブロードキャストするか否かを指示すること、
の少なくとも１つに用いられる。
【０１１１】
選択可能に、トランシーバ９０２は、更に、第２システムメッセージを端末に送信することに用いられる。
【０１１２】
選択可能に、トランシーバ９０２は、更に、端末から送信された第３システムメッセージの取得要求を受信することと、第３システムメッセージを端末に送信することとに用いられる。
【０１１３】
図９において、バスアーキテクチャは、任意数の相互接続するバスとブリッジを含み、具体的に、プロセッサ９０１をはじめとする１つ又は複数のプロセッサとメモリ９０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９０２は、複数の部品であってもよく、即ち送信機と受信機を含み、伝送媒体でほかの各種類の装置と通信するユニットとして提供される。ユーザ端末によっては、ユーザインタフェース９０４は、内部接続や外部接続する機器のインタフェースであってもよい。接続する機器は、キーパッド、ディスプレイ、スピーカ、マイクロフォン、ジョイスティックなどを含むが、それらに限られない。
【０１１４】
プロセッサ９０１は、バスアーキテクチャと通常の処理を管理する。メモリ９０３は、プロセッサ９０１による操作実行に使用されるデータを記憶できる。
【０１１５】
なお、本開示の実施例における上記ネットワーク側機器９００は、本開示の実施例の方法実施例における任意の実施形態のネットワーク側機器であってもよく、本開示の実施例の方法実施例におけるネットワーク側機器の任意の実施形態を本開示の実施例における上記ネットワーク側機器９００によって実現することができ、同じ効果を奏することもできるので、重複を避けるために、ここでは繰り返して記載しない。
【０１１６】
本開示の実施例は、コンピュータプログラムが格納されているコンピュータ読み取り可能な記憶媒体を更に提供し、当該コンピュータプログラムがプロセッサによって実行されると、上記ネットワーク側機器又は端末に対応する測定方法の実施例の各プロセスが実現され、且つ同じ技術効果を奏することもできるので、重複を避けるために、ここでは繰り返して記載しない。ここで、コンピュータ読み取り可能な記憶媒体は、たとえば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなどである。
【０１１７】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０１１８】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【０１１９】
以上の記載は、本開示の具体的な実施形態に過ぎない。ただし、本開示の保護範囲は、これに限定されない。当業者が本開示に開示されている技術範囲内に容易に想到できる変化又は差し替えは、いずれも本開示の保護範囲内に含まれるべきである。従って、本開示の保護範囲は、特許請求の範囲を基準とするべきである。
【図１】
2021517781.tif 000003
【図２】
2021517781.tif 000004
【図３】
2021517781.tif 000005
【図４】
2021517781.tif 000006
【図５】
2021517781.tif 000007
【図６】
2021517781.tif 000008
【図７】
2021517781.tif 000009
【図８】
2021517781.tif 000010
【図９】
2021517781.tif 000011
【図１０】
2021517781.tif 000012
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
端末に応用される測定方法において、
前記端末が非接続状態にある場合、ネットワーク側機器から送信される第１システムメッセージを取得することと、
前記第１システムメッセージに基づいて、対応する測定動作を実行することとを含み、
ここで、前記第１システムメッセージは、
快速な活性化／非活性化機能がセルでサポートされるか否かを指示すること、
快速な活性化／非活性化の測定情報を設定するための第２システムメッセージを前記ネットワーク側機器がブロードキャストするか否かを指示すること、
快速な活性化／非活性化を設定するための測定情報が第３システムメッセージに含まれているか否かを指示すること、及び、前記第３システムメッセージを前記ネットワーク側機器がブロードキャストするか否かを指示すること、
の少なくとも１つに用いられる、測定方法。
【請求項２】
前記第１システムメッセージは、快速な活性化／非活性化機能がセルでサポートされないことを指示し、
前記の前記第１システムメッセージの内容に基づいて、対応する測定動作を実行することは、
前記非接続状態での測定を停止すること、
前記端末が接続状態に入った場合、又は前記端末が前記非接続状態から前記接続状態に移行する過程で、前記非接続状態の測定結果の利用が可能であることを報告しないこと、
の少なくとも１つを含み、
または、
前記第１システムメッセージは、快速な活性化／非活性化機能がセルでサポートされることを指示し、且つ、前記第２システムメッセージを前記ネットワーク側機器がブロードキャストしていないことを指示し、
前記の前記第１システムメッセージの内容に基づいて、対応する測定動作を実行することは、
前記非接続状態での測定を停止すること、
前記端末が接続状態に入った場合、又は前記端末が前記非接続状態から前記接続状態に移行する過程で、報告条件を満たす測定結果があれば、前記非接続状態の測定結果の利用が可能であることを報告すること、
の少なくとも１つを含む、請求項１に記載の測定方法。
【請求項３】
前記第１システムメッセージは、快速な活性化／非活性化機能がセルでサポートされることを指示し、且つ、前記第２システムメッセージを前記ネットワーク側機器がブロードキャストしていることを指示し、
前記の前記第１システムメッセージの内容に基づいて、対応する測定動作を実行することは、
前記第２システムメッセージに含まれる快速な活性化／非活性化を設定するための測定情報を読み取ることと、
前記測定情報に設定された周波数ポイントを取得することと、
前記非接続状態で前記設定された周波数ポイントを測定することとを含む、請求項１に記載の測定方法。
【請求項４】
前記の前記第１システムメッセージの内容に基づいて、対応する測定動作を実行することは、
前記端末が接続状態に入った場合、又は前記端末が前記非接続状態から前記接続状態に移行する過程で、報告条件を満たす測定結果があれば、前記非接続状態の測定結果の利用が可能であることを報告することを更に含む、請求項３に記載の測定方法。
【請求項５】
前記第１システムメッセージは、快速な活性化／非活性化を設定するための測定情報が第３システムメッセージに含まれていないことを指示し、
前記の前記第１システムメッセージに基づいて、対応する測定動作を実行することは、
前記非接続状態での測定を停止すること、
前記端末が接続状態に入った場合、又は前記端末が前記非接続状態から前記接続状態に移行する過程で、前記非接続状態の測定結果の利用が可能であることを報告しないこと、
の少なくとも１つを含み、
または、
前記第１システムメッセージは、快速な活性化／非活性化を設定するための測定情報が第３システムメッセージに含まれていること、及び、前記第３システムメッセージを前記ネットワーク側機器がブロードキャストしていないことを指示し、
前記の前記第１システムメッセージに基づいて、対応する測定動作を実行することは、
前記第３システムメッセージの取得要求を前記ネットワーク側機器に送信することと、
前記ネットワーク側機器から送信される前記第３システムメッセージを読み取ることと、
前記第３システムメッセージに含まれる快速な活性化／非活性化を設定するための測定情報を読み取ることと、
前記測定情報に設定された周波数ポイントを取得することと、
前記非接続状態で前記設定された周波数ポイントを測定することとを含む、請求項１に記載の測定方法。
【請求項６】
前記第１システムメッセージは、快速な活性化／非活性化を設定するための測定情報が第３システムメッセージに含まれていること、及び、前記第３システムメッセージを前記ネットワーク側機器がブロードキャストしていることを指示し、
前記の前記第１システムメッセージに基づいて、対応する測定動作を実行することは、
前記ネットワーク側機器から送信される前記第３システムメッセージを読み取ることと、
前記第３システムメッセージに含まれる快速な活性化／非活性化を設定するための測定情報を読み取ることと、
前記測定情報に設定された周波数ポイントを取得することと、
前記非接続状態で前記設定された周波数ポイントを測定することとを含む、請求項１に記載の測定方法。
【請求項７】
前記の前記第１システムメッセージに基づいて、対応する測定動作を実行することは、
前記端末が接続状態に入った場合、又は前記端末が前記非接続状態から前記接続状態に移行する過程で、報告条件を満たす測定結果があれば、前記非接続状態の測定結果の利用が可能であることを報告することを更に含む、請求項６に記載の測定方法。
【請求項８】
前記第１システムメッセージは、前記第２システムメッセージを前記ネットワーク側機器がブロードキャストしていないことを指示し、
前記の前記第１システムメッセージに基づいて、対応する測定動作を実行することは、
前記非接続状態での測定を停止すること、
前記端末が接続状態に入った場合、又は前記端末が前記非接続状態から前記接続状態に移行する過程で、前記非接続状態の測定結果の利用が可能であることを報告しないこと、
の少なくとも１つを含み、
または、
前記第１システムメッセージは、前記第２システムメッセージを前記ネットワーク側機器がブロードキャストしていることを指示し、
前記の前記第１システムメッセージに基づいて、対応する測定動作を実行することは、
前記第２システムメッセージに設定された周波数ポイントを取得することと、
前記非接続状態で前記設定された周波数ポイントを測定することとを含む、請求項１に記載の測定方法。
【請求項９】
前記の前記第１システムメッセージに基づいて、対応する測定動作を実行することは、
前記端末が接続状態に入った場合、又は前記端末が前記非接続状態から前記接続状態に移行する過程で、報告条件を満たす測定結果があれば、前記非接続状態の測定結果の利用が可能であることを報告することを更に含む、請求項８に記載の測定方法。
【請求項１０】
前記非接続状態は、アイドル（ｉｄｌｅ）状態又は非活性化（ｉｎａｃｔｉｖｅ）状態を含み、
前記第１システムメッセージは、システムメッセージブロックタイプ１（ＳＩＢ１）又は残りの最小システムメッセージ（ＲＭＳＩ）を含み、
前記第２システムメッセージは、システムメッセージブロックタイプ５（ＳＩＢ５）又は他のシステムメッセージブロックタイプを含み、
前記第３システムメッセージは、ＳＩＢ５又は他のシステムメッセージブロックタイプを含み、
及び/又は、
前記端末は、前記非接続状態で測定能力を有する端末であり、且つ、前記ネットワーク側機器からセルで送信される前記第１システムメッセージを取得する前に、前記非接続状態で測定を行う、請求項１に記載の測定方法。
【請求項１１】
ネットワーク側機器に応用される測定方法において、
非接続状態にある端末に第１システムメッセージを送信し、前記端末に前記第１システムメッセージに基づいて対応する測定動作を実行させることを含み、
ここで、前記第１システムメッセージは、
快速な活性化／非活性化機能がセルでサポートされるか否かを指示すること、
快速な活性化／非活性化の測定情報を設定するための第２システムメッセージを前記ネットワーク側機器がブロードキャストするか否かを指示すること、
快速な活性化／非活性化を設定するための測定情報が第３システムメッセージに含まれているか否かを指示すること、及び、前記第３システムメッセージを前記ネットワーク側機器がブロードキャストするか否かを指示すること、
の少なくとも１つに用いられる、測定方法。
【請求項１２】
前記第２システムメッセージを前記端末に送信することを更に含む、請求項１１に記載の測定方法。
【請求項１３】
前記端末から送信された前記第３システムメッセージの取得要求を受信することと、
前記第３システムメッセージを前記端末に送信することとを更に含む、請求項１１に記載の測定方法。
【請求項１４】
端末であって、
前記端末が非接続状態にある場合、ネットワーク側機器から送信される第１システムメッセージを取得する取得モジュールと、
前記第１システムメッセージに基づいて、対応する測定動作を実行する実行モジュールとを含み、
ここで、前記第１システムメッセージは、
快速な活性化／非活性化機能がセルでサポートされるか否かを指示すること、
快速な活性化／非活性化の測定情報を設定するための第２システムメッセージを前記ネットワーク側機器がブロードキャストするか否かを指示すること、
快速な活性化／非活性化を設定するための測定情報が第３システムメッセージに含まれているか否かを指示すること、及び、前記第３システムメッセージを前記ネットワーク側機器がブロードキャストするか否かを指示すること、
の少なくとも１つに用いられる、端末。
【請求項１５】
ネットワーク側機器であって、
非接続状態にある端末に第１システムメッセージを送信し、前記端末に前記第１システムメッセージに基づいて対応する測定動作を実行させる送信モジュールを含み、
ここで、前記第１システムメッセージは、
快速な活性化／非活性化機能がセルでサポートされるか否かを指示すること、
快速な活性化／非活性化の測定情報を設定するための第２システムメッセージを前記ネットワーク側機器がブロードキャストするか否かを指示すること、
快速な活性化／非活性化を設定するための測定情報が第３システムメッセージに含まれているか否かを指示すること、及び、前記第３システムメッセージを前記ネットワーク側機器がブロードキャストするか否かを指示すること、
の少なくとも１つに用いられる、ネットワーク側機器。
【国際調査報告】
2021517781.tif 000013
2021517781.tif 000014
2021517781.tif 000015
2021517781.tif 000016
2021517781.tif 000017
2021517781.tif 000018